(57)【要約】【課題】ボルト緩みが発生するおそれがなく、かつ高所においても効率よく取り付け作業ができる雨樋吊具を提供する。【解決手段】ボルト１５、ナット（蝶ナット２０）を用いて吊具本体１１を使用状態に取付固定するようにした雨樋吊具１０であって、蝶ナット２０は、ナット本体２１の周囲に合成樹脂成形体２２を形成してなるつまみ部２５と、該ナット本体２１の頭部側に配するスプリングワッシャ体２３とを固着一体化した構成とされ、つまみ部２５は、ナット本体２１を合成樹脂成形体２２の内部に埋め込み成形して形成されている。【選択図】図１
2012229556.tif 000002
【特許請求の範囲】
【請求項１】
ボルト、ナットを用いて吊具本体を使用状態に取付固定するようにした雨樋吊具であって、
上記ナットは、ナット本体の周囲に合成樹脂成形体を形成してなるつまみ部と、該ナット本体の頭部側に配するスプリングワッシャ体とを固着一体化した構成とされ、
上記つまみ部は、上記ナット本体を合成樹脂成形体の内部に埋め込み成形して形成されていることを特徴とする雨樋吊具。
【請求項２】
請求項１において、
上記ボルト、ナットは、上記吊具本体を、軒先等に固定された取付杆に固定するために用いられる固定部材である雨樋吊具。
【発明の詳細な説明】
【技術分野】
【０００１】
本発明は、雨樋を吊り下げる雨樋吊具に関する。
【背景技術】
【０００２】
従来、雨樋吊具として、軒先に固定されるタイプのものが多く用いられている（特許文献１参照）。
【０００３】
図７は、この種の雨樋吊具の概略説明図（分解斜視図）である。
【０００４】
この雨樋吊具１００は、軒先に取付部材１０３を介して取り付けられる取付杆１０２と、取付杆１０２にスライド自在に連結される吊具本体１０１とを有している。この雨樋吊具１００の使用状態において、取付杆１０２と吊具本体１０１とを、吊具本体１０１に形成した長孔１０１ａを介したボルト１０５、ナット（蝶ナット１０６）の螺着によって、出具合調節が可能なように固定できる構造となっている。
【０００５】
雨樋吊具１００は、軒先等の屋外で雨樋１を吊り下げた状態で使用されるため、風雨に長期間晒されても、出具合調節部において吊具本体１０１が緩んでぐらつくことのないように、スプリングワッシャ１０７を取り付けて緩まないようにすることが通例となっている。
【先行技術文献】
【特許文献】
【０００６】
【特許文献１】特開平９−２５６５７０号公報
【発明の概要】
【発明が解決しようとする課題】
【０００７】
しかしながら、スプリングワッシャは小さな部材で扱いにくく、また部品点数も多くなるため、高所での作業を強いられる雨樋吊具の取り付けには作業効率上の観点からは、スプリングワッシャの使用が望ましくないという問題があった。
【０００８】
本発明は、このような事情を考慮して提案されたもので、その目的は、十分な緩み止め効果が奏せられ、かつ高所においても効率よく取り付け作業ができる雨樋吊具を提供することにある。
【課題を解決するための手段】
【０００９】
上記目的を達成するために、請求項１に記載の雨樋吊具は、ボルト、ナットを用いて吊具本体を使用状態に取付固定するようにした雨樋吊具であって、ナットは、ナット本体の周囲に合成樹脂成形体を形成してなるつまみ部と、該ナット本体の頭部側に配するスプリングワッシャ体とを固着一体化した構成とされ、つまみ部は、ナット本体を合成樹脂成形体の内部に埋め込み成形して形成されていることを特徴とする。
【００１０】
請求項２に記載の雨樋吊具では、ボルト、ナットは、上記吊具本体を、軒先等に固定された取付杆に固定するために用いられる。
【発明の効果】
【００１１】
本発明によれば次のような効果が奏せられる。
【００１２】
すなわち、請求項１に記載の雨樋吊具によれば、ナット本体と、手指で操作するためのつまみ部と、ナット本体の頭部側に配するスプリングワッシャ体とを固着一体化した構成となっているので、別体のスプリングワッシャを用いることなく、吊具本体を使用状態に取付固定することができる。スプリングワッシャ体がナットに一体化されているので、雨樋吊具の取り付け作業を効率よく行うことができる。もちろん、スプリングワッシャ体を含んだ構成であるため十分な緩み止め効果が奏せられる。
【００１３】
また、一体化することで部品点数を少なくできるので、低コスト化や在庫管理の省力化にも寄与できる。さらに、つまみ部が、ナット本体を合成樹脂成形体の内部に埋め込み成形して形成されているので、これによっても低コスト化を実現できる。
【００１４】
請求項２に記載の雨樋吊具によれば、吊具本体を軒先等に固定された取付杆に固定するための固定部材として、スプリングワッシャ体を一体化したナットを用いる構成であるため、軒先固定タイプの雨樋吊具の吊具本体を緩みなく軒先に固定することができる。特に、吊具本体を取付杆に対してスライド可能に固定して出具合調節できるものでは、前後方向の微調整を手指操作でできるので有効である。
【図面の簡単な説明】
【００１５】
【図１】本発明の雨樋吊具の一実施形態を示す概略分解斜視図である。
【図２】（ａ）、（ｂ）は、図１に示した雨樋吊具に用いられるナットの構成要素の一部であるワッシャ付きナット本体の成形手順を示す縦断面図である。
【図３】（ａ）は図２（ｂ）に示したワッシャ付きナット本体の平面図、（ｂ）は同底面図である。
【図４】図１に示した雨樋吊具に用いられるナットの縦断面図である。
【図５】同ナットの平面図である。
【図６】ナットの別例を示した正面図である。
【図７】従来の雨樋吊具の一例を示す概略分解斜視図である。
【発明を実施するための形態】
【００１６】
以下に、本発明の実施形態について、添付図面を参照しながら説明する。
【００１７】
図１は、本発明の雨樋吊具の一実施形態を示す概略分解斜視図である。
【００１８】
この雨樋吊具１０は、軒先に固定されるタイプの吊具であり、軒先に取付部材１３を介して取り付けられる取付杆１２と、取付杆１２にスライド自在に連結される吊具本体１１とを有している。
【００１９】
取付杆１２の前部には段落ちした連結片１２ａが形成してあり、その連結片１２ａには、ボルト１５が挿通される軸孔１２ａａが開設されている。
【００２０】
一方、吊具本体１１は、取付杆１２の連結片１２ａの下方に配される連結部１１ａと、その連結部１１ａの前後に配した、雨樋１の耳部１ａを掛止する耳掛止部１１ｂとを有した構造となっている。
【００２１】
連結部１１ａには、長手方向に沿って長孔１１ａａが開設されており、その幅方向の両側には滑り止め用の凹凸部１１ａｂが形成されている。この吊具本体１１の長孔１１ａａに対する取付杆１２の連結片１２ａの位置を調節することで、雨樋１の出具合調節ができるようになっている。
【００２２】
本実施形態に示した雨樋吊具１０は、吊具本体１１の長孔１１ａａ、取付杆１２の軸孔１２ａａを挿通させたボルト１５に蝶ナット２０を螺着させて吊具本体１１を固定できる構造となっている。
【００２３】
この蝶ナット２０の詳細構造を、図２〜図５にもとづいて説明する。
【００２４】
図２は、図１に示した雨樋吊具１０に用いられる蝶ナット２０の構成要素の一部である、スプリングワッシャ体２３が固着されたナット本体２１（以下、ワッシャ付きナット本体Ａという）の成形手順を示す縦断面図であり、図２（ａ）はスプリングワッシャ体２３をナット本体２１に締結する前の状態を示す縦断面図、図２（ｂ）は形成されたワッシャ付きナット本体Ａの縦断面図である。
【００２５】
また、図３（ａ）は図２（ｂ）に示したワッシャ付きナット本体Ａの平面図、図３（ｂ）は同底面図である。図４は、図１に示した雨樋吊具１０に用いられるナットの縦断面図である。図５は同ナットの平面図である。図６は、ナットの別例を示した正面図である。
【００２６】
本実施形態で用いられる蝶ナット２０は、その構成部材として、スプリングワッシャ体２３を固着したナット本体２１（ワッシャ付きナット本体Ａ）が用いられる。
【００２７】
スプリングワッシャ体２３は、上下に開口２３ａ、２３ａを有し椀形状をなした山座金を使用したものであり、その上部の開口２３ａに対して、かしめナットで構成されたナット本体２１のかしめ部２１ａを挿入し、スプリングワッシャ体２３の開口縁に対してかしめ部２１ａを拡げるようにかしめて、スプリングワッシャ体２３にナット本体２１を固着することで、ワッシャ付きナット本体Ａが形成される（図２、図３参照）。
【００２８】
本実施形態の蝶ナット２０は、このワッシャ付きナット本体Ａのナット本体２１の部分を合成樹脂成形体２２の内部に埋め込み成形して形成されている。つまり、この蝶ナット２０は、金属製のナット本体２１を金型に挿入してから、硬化すると所定の硬度を有した合成樹脂を注入して一体成形（インサート成形）してなる。
【００２９】
こうして成形された合成樹脂成形体２２は、上方が開口された船形状をなしており、船状体の底部に配され、ナット本体２１を収容したナット収容部２４を中心にして相対する２方向に延びて手指により操作できるようにしたつまみ部２５を備えている（図４、図５参照）。このナット収容部２４の上部には、ナット本体２１のねじ孔２１ｂに螺挿されるボルト１５の軸部が挿通される開口２４ａが形成されている。
【００３０】
このような蝶ナット２０によれば、ナット本体２１と、手指で操作するためのつまみ部２５と、ナット本体２１の頭部側（螺進方向）に配したスプリングワッシャ体２３とを固着一体化した構成となっているので、別体のスプリングワッシャを用いることなく、吊具本体１１を取付杆１２に対して使用状態に取付固定することができる。その結果、雨樋吊具１０の取り付け作業を効率よく行うことができる。もちろん、スプリングワッシャ体２３を含んだ構成であるため十分な緩み止め効果が得られる。
【００３１】
また、蝶ナット２０がスプリングワッシャ体２３を一体として含んだ構成であるため、部品点数を少なくでき、そのため低コスト化や在庫管理の省力化にも寄与することができる。さらに、インサート成形にて蝶ナット２０を形成するようにしているため、製造コストが低減化でき、さらなるコストダウンを図ることができる。
【００３２】
本実施形態で示した雨樋吊具１０は、吊具本体１１を軒先に固定された取付杆１２に固定するための固定部材として、上記のような蝶ナット２０とボルト１５を用いる構成であるため、軒先固定タイプの雨樋吊具１０の吊具本体１１を緩みなく軒先に固定することができる。特に、本実施形態に示したような、吊具本体１１を取付杆１２に対してスライド可能に固定して出具合調節できるものは、微調整を手指操作でできるので有効である。
【００３３】
本実施形態では、スプリングワッシャ体２３として山座金を用いているが、これには限定されず、ナット本体２１とボルト１５とを螺着させたときに、ばねの弾性復帰力により緩みが防止できるものであれば、どのような形状、構造のものであってもよい。
【００３４】
図６は、ナットの別例を示した正面図である。このスプリングワッシャ体２３は、本体の上下に走る１本のスリット２３ａが形成してあるため、蝶ナット２０を締め付けたときに、より高い弾性力を発生させることができる。なお、つまみ部等の他の構成については、図４のものと同様であるため説明を割愛する。
【００３５】
また、本実施形態では雨樋吊具として軒先固定タイプのものを示したが、吊具本体を上記のように構成された蝶ナット２０で固定するものであれば、他の種々の形状、構造の雨樋吊具であってもよい。
【符号の説明】
【００３６】
１０      雨樋吊具
１１      吊具本体
１１ａ      連結部
１１ａａ      長孔
１２      取付杆
１２ａ      連結片
１２ａａ      軸孔
１３      取付部材
１５      ボルト
２０      蝶ナット（ナット）
２１      ナット本体
２１ａ      かしめ部
２２      合成樹脂成形体
２３      スプリングワッシャ体
２３ａ      開口
２３ｂ      スリット
Ａ      ワッシャ付きナット本体
２４      ナット収容部
２５      つまみ部
１      雨樋
【図１】
2012229556.tif 000003
【図２】
2012229556.tif 000004
【図３】
2012229556.tif 000005
【図４】
2012229556.tif 000006
【図５】
2012229556.tif 000007
【図６】
2012229556.tif 000008
【図７】
2012229556.tif 000009